(57)【要約】  各配列が異なる色（ｗ）、（ｘ）、（ｙ）、（ｚ）である複数の配列の光源（１２２）、典型的には、発光ダイオード（ＬＥＤ）を有するディスプレイデバイス（１００）、より詳細には、液晶ディスプレイ（ＬＣＤ）などのフラットパネルのディスプレイデバイスのバックライティングシステム（１２０）である。ディスプレイは、また、ディスプレイ画面（１１０）上の色ピクセル（ａ）、（ｂ）、（ｃ）で構成され、ピクセルは、また、配列で配置され、各ピクセルの配列は、異なる色（ａ）又は（ｂ）又は（ｃ）で構成されている。バックライト（１３０）からの光は、ディスプレイ画面上に入射する「白色」光を生成するために一緒に混合される。所与の配列の光源は、バックライトの上に均一に分散され、同様に、所与の色のピクセルもまた、ディスプレイ画面の上に均一に配列される。光源に関連する異なる色の数は、色ピクセルに関連する異なる色の数よりも多いように選択される。バックライトに４つ以上の色を使用することにより、結果的に、色域及びＣＲＩ値に変動がもたらされる。この特徴は、白色光の質を向上させる。一実施形態では、バックライト（ＢＬ）は、レッド（Ｒ）、グリーン（Ｇ）、ブルー（Ｂ）及びシアン（Ｃ）のＬＥＤを使用して、４つの色（波長又は周波数）で構成されることが可能であり、又は代替としては、Ｒ、Ｇ、Ｂ、Ｃ及びアンバー／イエロー（Ａ）のＬＥＤを使用して、５つの色で構成されることが可能である。色ピクセルは、典型的には、ＲＧＢである。バックライトは、ＲＧＢの光源のみ所与の時間に動作し、次に、白色光の印象を維持しながら加えて、第４の、又は第４と第５の色の光源にスイッチが入るようにして動作可能である。代替としては、複数の放射波長、フィールドエミッションデバイス、又は蛍光体をベースとするデバイスを含む個別の光源が使用可能である。
2008535034.tif 000002
【特許請求の範囲】
【請求項１】
複数の異なる色の画像素子それぞれの複数の配列を含むディスプレイ画面のためのバックライトシステムであって、
複数の異なる色の画像素子それぞれの複数の配列を含む前記ディスプレイ画面上にバックライティングを提供するために、前記ディスプレイ画面上に入る光路に複数の異なる色それぞれの光を放射するように構成された異なる色の発光ダイオード（ＬＥＤ）デバイスの複数の配列を含み、異なる色の画像素子の配列に比べて異なる色のＬＥＤデバイスの配列がより多く形成されることを特徴とするバックライトシステム。
【請求項２】
前記複数の異なる色の画像素子それぞれの複数の配列は、３つの異なる色の画像素子それぞれの３つの配列を含み、異なる色のＬＥＤデバイスの前記複数の配列は、４つの異なる色のＬＥＤデバイスの４つの配列を含むことを特徴とする請求項１に記載のバックライトシステム。
【請求項３】
前記異なる色のＬＥＤデバイスの複数の配列は、白色光の知覚を形成するように複数の異なる色それぞれの光を放射するように構成されていることを特徴とする請求項１に記載のバックライトシステム。
【請求項４】
前記異なる色のＬＥＤデバイスの４つの配列は、白色光の知覚を形成するように４つの異なる色それぞれの光を放射するように構成されていることを特徴とする請求項２に記載のバックライトシステム。
【請求項５】
前記複数の異なる色の画像素子それぞれの複数の配列を含むディスプレイ画面は、その上に前記複数の異なる色のフィルタそれぞれを含む液晶ディスプレイ（ＬＣＤ）デバイスの２次元配列を含むことを特徴とする請求項１に記載のバックライトシステム。
【請求項６】
前記ＬＣＤデバイスの２次元配列は、その上にレッド、ブルー及びグリーンの色フィルタを含み、その上にシアニンの色フィルタを含まず、異なる色のＬＥＤデバイスの前記複数の配列は、レッド、グリーン、ブルー及びシアニンのＬＥＤデバイスの配列を含むことを特徴とする請求項５に記載のバックライトシステム。
【請求項７】
前記ＬＣＤデバイスの２次元配列は、その上にレッド、ブルー及びグリーンの色フィルタを含み、その上にシアニンの色フィルタ又はアンバーの色フィルタを含まず、異なる色のＬＥＤデバイスの前記複数の配列は、レッド、グリーン、ブルー、シアニン及びアンバーのＬＥＤデバイスの配列を含むことを特徴とする請求項５に記載のバックライトシステム。
【請求項８】
複数の異なる色の画像素子それぞれの複数の配列、及び請求項１に記載のバックライトシステムを含むことを特徴とするディスプレイ画面。
【請求項９】
レッド、ブルー及びグレーンの色フィルタを含むＬＣＤデバイスの２次元配列その上に含み、さらに請求項５に記載のバックライトシステムを含むことを特徴とするディスプレイ画面。
【請求項１０】
液晶ディスプレイ（ＬＣＤ）デバイスの２次元配列、及びその上に３つの異なる色フィルタを有するディスプレイ画面と、前記ディスプレイ画面上で白色光として知覚されるバックライティングを行うために、前記ディスプレイ画面上に入る光路に３つの異なる色それぞれの光を放射するように構成された発光ダイオード（ＬＥＤ）デバイスの３つの配列とを含むディスプレイパネルを動作させる方法であって、
前記ディスプレイ画面上で白色光として知覚されるバックライティングを引き続き行うために、前記３つの異なる色とは異なる第４の色の光を放射するように構成された発光ダイオード（ＬＥＤ）デバイスの少なくとも第４の配列を加えるステップを含むことを特徴とする方法。
【請求項１１】
前記ＬＣＤデバイスの２次元配列は、その上にレッド、ブルー及びグリーンの色フィルタを含み、ＬＥＤデバイスの前記３つの配列は、レッド、グリーン及びブルーのＬＥＤデバイスを含み、ＬＥＤデバイスの前記少なくとも第４の配列は、シアニンのＬＥＤデバイスの第４の配列を含むことを特徴とする請求項１０に記載の方法。
【請求項１２】
前記ＬＣＤデバイスの２次元配列は、その上にレッド、ブルー及びグリーンの色フィルタを含み、ＬＥＤデバイスの前記３つの配列は、レッド、グリーン及びブルーのＬＥＤデバイスの３つの配列を含み、ＬＥＤデバイスの前記少なくとも第４の配列は、シアニンのＬＥＤデバイスの第４の配列と、アンバーのＬＥＤデバイスの第５の配列とを含むことを特徴とする請求項１０に記載の方法。
【請求項１３】
異なる色の画像素子を含むディスプレイ画面のためのバックライティング方法であって、
前記画像素子に比べてより異なる色で前記ディスプレイ画面をバックライティングするステップを含むことを特徴とするバックライティング方法。
【請求項１４】
前記ディスプレイ画面は、レッド、グリーン及びブルーの画像素子を含むが、シアニンの画像素子を含まず、バックライティングするステップは、レッド、グリーン、ブルー及びシアニンの色で前記ディスプレイ画面をバックライティングするステップを含むことを特徴とする請求項１３に記載のバックライティング方法。
【請求項１５】
前記ディスプレイ画面は、レッド、グリーン及びブルーの画像素子を含むが、シアニン又はアンバーの画像素子を含まず、バックライティングするステップは、レッド、グリーン、ブルー、シアニン及びアンバーの色で前記ディスプレイ画面をバックライティングするステップを含むことを特徴とする請求項１３に記載のバックライティング方法。
【請求項１６】
前記画像素子は、液晶ディスプレイ（ＬＣＤ）デバイスの２次元配列、及びその上に３つの異なる色フィルタを含み、前記より異なる色は、前記画像素子に比べて前記より異なる色の発光ダイオード（ＬＥＤ）デバイスによって生成されることを特徴とする請求項１３に記載のバックライティング方法。
【請求項１７】
前記より異なる色は、前記画像素子に比べて前記より異なる色の複数の光源によって生成されることを特徴とする請求項１３に記載のバックライティング方法。
【請求項１８】
前記バックライティングするステップは、前記ディスプレイ画面上で白色光として知覚されるバックライティングを行うために、前記画像素子に比べて前記より異なる色で前記ディスプレイ画面をバックライティングするステップを含むことを特徴とする請求項１３に記載のバックライティング方法。
【請求項１９】
異なる色の画像素子を含むディスプレイ画面のバックライトシステムであって、
前記ディスプレイ画面上にバックライティングを行うために、前記ディスプレイ画面上に入る光路に前記画像素子に比べてより異なる色の光を放射するように構成された少なくとも１つの光源を有することを特徴とするバックライトシステム。
【請求項２０】
前記異なる色の画像素子は、３つの異なる色の画像素子を有し、前記少なくとも１つの光源は、４つの異なる色の光を放射することを特徴とする請求項１９に記載のバックライトシステム。
【請求項２１】
前記少なくとも１つの光源は白色光の知覚を形成するように、前記画像素子に比べてより異なる色の光を放射するように構成されることを特徴とする請求項１９に記載のバックライトシステム。
【請求項２２】
前記異なる色の画像素子は、レッド、ブルー及びグリーンの画像素子を含むが、シアニンの画像素子を含まず、前記画像素子に比べて前記より異なる色は、レッド、グリーン、ブルー及びシアニンの色を含むことを特徴とする請求項１９に記載のバックライトシステム。
【請求項２３】
前記異なる色の画像素子は、レッド、ブルー、及びグリーンの画像素子を含むが、シアニン又はアンバーの画像素子を含まず、前記画像素子に比べて前記より異なる色は、レッド、グリーン、ブルー、シアニン及びアンバーの色の配列を含むことを特徴とする請求項１９に記載のバックライトシステム。
【請求項２４】
異なる色の画像素子、及び請求項１９に記載のバックライトシステムを有することを特徴とするディスプレイ画面。
【請求項２５】
異なる色の画像素子を含むディスプレイ画面のためのバックライティング方法であって、
前記画像素子に比べて少なくとも１つの異なる色で前記ディスプレイ画面をバックライティングするステップを含むことを特徴とするバックライティング方法。
【請求項２６】
前記ディスプレイ画面は、レッド、グリーン及びブルーの画像素子を含むが、シアニンの画像素子を含まず、バックライティングするステップは、シアニンの色で前記ディスプレイ画面をバックライティングするステップを含むことを特徴とする請求項２５に記載のバックライティング方法。
【請求項２７】
前記ディスプレイ画面は、レッド、グリーン及びブルーの画像素子を含むが、シアニン又はアンバーの画像素子を含まず、バックライティングするステップは、シアニン及びアンバーの色で前記ディスプレイ画面をバックライティングするステップを含むことを特徴とする請求項２５に記載のバックライトシステム。
【請求項２８】
異なる色の画像素子を含むディスプレイ画面のためのバックライトシステムであって、
前記ディスプレイ画面上にバックライティングを行うために、前記ディスプレイ画面上に入る光路に前記画像素子に比べて少なくとも１つの異なる色の光を放射するように構成された少なくとも１つの光源を有することを特徴とするバックライトシステム。
【請求項２９】
前記異なる色の画像素子は、レッド、ブルー及びグリーンの画像素子を含むが、シアニンの画像素子を含まず、前記画像素子に比べて前記少なくとも１つの異なる色はシアニンの色を含むことを特徴とする請求項２８に記載のバックライトシステム。
【請求項３０】
前記異なる色の画像素子は、レッド、ブルー及びグリーンの画像素子を含むが、シアニン又はアンバーの画像素子を含まず、前記画像素子に比べて前記少なくとも１つの異なる色は、シアニン及びアンバーの色を含むことを特徴とする請求項２８に記載のバックライトシステム。
【発明の詳細な説明】
【技術分野】
【０００１】
本発明は、液晶ディスプレイ（ＬＣＤ）などのディスプレイパネル及びバックライティング方法に関し、より詳細には、異なる色の発光ダイオード（ＬＥＤ）の数が異なる色のピクセルの数を越えるフラットパネルディスプレイ（典型的にはＬＣＤ）のためのＬＥＤバックライトシステムに関する。
【背景技術】
【０００２】
ディスプレイ画面は、コンピュータのモニタ、テレビ及び多くの他のディスプレイ応用に広く使用されている。いくつかのフラットパネルディスプレイの画面は、光シャッターの配列、及びディスプレイ画面上に光を入射させるバックライトシステムを含んでいる。
【０００３】
例えば、ＬＣＤデバイスは、モニタ、テレビ及び／又は他のディスプレイ応用のためのフラットパネルディスプレイに広く使用されている。当業者にはよく知られているように、ＬＣＤディスプレイは、一般的に、光シャッターの配列として作用するＬＣＤデバイスの配列を含んでいる。透過型のＬＣＤディスプレイは、例えば、ＬＣＤデバイスの配列の上側、横側、及び場合によっては、後ろ側に冷陰極蛍光灯を使用するバックライティングを用いる。ＬＣＤデバイスの後ろ側の拡散パネルを使用して、より均一のディスプレイを提供するために、均一に光の方向を直し、散乱させることを可能にする。
【０００４】
従来のシャッターディスプレイデバイスは、一般的に、３つの異なる色の画像素子（ピクセル及び／又はサブピクセルと称されることが多い）、一般的に、レッド（Ｒ）、グリーン（Ｇ）及びブルー（Ｂ）の画像素子を含んでいる。シャッターディスプレイデバイスのためのバックライトシステムは、白色光として知覚される光をディスプレイ画面上に均一に放射するように構成可能である。本明細書に使用されるとき、「異なる色」は、異なる中心周波数を有する異なる周波数スペクトルを意味する。
【０００５】
当業者にはよく知られているように、レッド、グリーン及びブルーの画像素子の組合せは、ディスプレイによって表示可能である可視色空間のその部分である色の範囲又は色域を規定する。可視色空間及び色域は、一般的に、ｘｙ色度図の中に示される。ディスプレイの色域を変更することが望ましい場合がある。
【０００６】
当業者にはまたよく知られているように、演色指数（ＣＲＩ）は、照明されている物体の色の見え方に光がいかに影響を及ぼすかという尺度である。それは、色を正確に演色し、色合いの変化をよりくっきりと示すための光源の能力を表す。高演色により、人が、自然光の下で見える物体を予想するように、それらを見ることが可能になる。演色は、値が０から１００の間を変動する演色指数度で複雑な処理を介して測定される。ディスプレイの演色指数を変更することが望ましい場合がある。
【０００７】
【特許文献１】米国特許出願第１１／０２２，３３２号明細書、Ｎｅｇｌｅｙら「Ｌｉｇｈｔ  Ｅｍｉｔｔｉｎｇ  Ｄｉｏｄｅ  Ａｒｒａｙｓ  Ｆｏｒ  Ｄｉｒｅｃｔ  Ｂａｃｋｌｉｇｈｔｉｎｇ  Ｏｆ  Ｌｉｑｕｉｄ  Ｃｒｙｓｔａｌ  Ｄｉｓｐｌａｙｓ」２００４年１２月２３日出願
【特許文献２】米国特許出願第１０／８９８，６０８号明細書、Ｎｅｇｌｅｙ「Ｒｅｆｌｅｃｔｉｖｅ  Ｏｐｔｉｃａｌ  Ｅｌｅｍｅｎｔｓ  ｆｏｒ  Ｓｅｍｉｃｏｎｄｕｃｔｏｒ  Ｌｉｇｈｔ  Ｅｍｉｔｔｉｎｇ  Ｄｅｖｉｃｅｓ」２００４年７月２３日出願
【発明の開示】
【発明が解決しようとする課題】
【０００８】
本発明は、このような状況に鑑みてなされたもので、その目的とするところは、異なる色の発光ダイオードの数が異なる色のピクセルの数を越えるフラットパネルディスプレイなどのディスプレイパネル及びバックライティング方法を提供することにある。
【課題を解決するための手段】
【０００９】
本発明のいくつかの実施形態は、複数の異なる色の画像素子それぞれの複数の配列を含むディスプレイ画面のためのバックライトシステムを提供する。ＬＥＤデバイスの複数の配列は、ディスプレイ画面上にバックライティングを行うために、ディスプレイ画面上に入る光路に複数の異なる色それぞれの光を放射するように構成される。異なる色の画像素子の配列に比べて、異なる色のＬＥＤデバイスの配列がより多く形成される。
【００１０】
いくつかの実施形態では、３つの異なる色の画像素子、及び４つの異なる色のＬＥＤデバイスが提供される。４つの異なる色のＬＥＤデバイスは、白色光の知覚を形成するように構成可能である。いくつかの実施形態では、ディスプレイ画面は、その上に３つの色フィルタを含むＬＣＤデバイスの２次元配列を含んでいる。
【００１１】
いくつかの実施形態では、ＬＣＤデバイスの２次元配列は、その上にレッド、ブルー及びグリーンの色フィルタを含み、その上にシアニン（シアンとも称される）の色フィルタを含まず、４つの異なる色のＬＥＤデバイスは、レッド、グリーン、ブルー及びシアニンのＬＥＤデバイスの配列を含んでいる。本発明のさらに他の実施形態では、ＬＣＤデバイスの２次元配列は、その上にレッド、ブルー及びグリーンのフィルタを含み、その上にシアニン又はアンバー（イエロー）の色フィルタは含まず、異なる色のＬＥＤデバイスはレッド、グリーン、ブルー、シアニン及びアンバーのＬＥＤデバイスの配列を含んでいる。
【００１２】
本発明の実施形態を、ディスプレイ画面のためのバックライトシステム、及びバックライトシステムを含むディスプレイ画面に関して上述してきたことが当業者には理解されよう。しかし、本発明の他の実施形態は、ＬＣＤデバイスの２次元配列、及びその上に３つの異なる色フィルタ、ならびにディスプレイ画面上で白色光として知覚されるバックライティングを行うために、ディスプレイ画面上に入る光路に３つの異なる色それぞれの光を放射するように構成されたＬＥＤデバイスの３つの配列を含むディスプレイ画面を動作させる類似方法を提供する。これらの方法は、ディスプレイ画面上で白色光として知覚されるバックライティングを引き続き行うために、３つの色とは異なる第４の色の光を放射するように構成されたＬＥＤデバイスの少なくとも第４の配列を加えることを含むことが可能である。第４の配列は、シアニン及び／又はアンバーのＬＥＤデバイスを含むことが可能である。さらには、本発明のシステム及び／又は方法の実施形態は、フィールドエミッタ／蛍光体配列など、ＬＥＤ以外のバックライティングの光源の配列と併用可能である。
【００１３】
本発明のさらに他の実施形態は、画像素子に比べてより異なる色でディスプレイ画面をバックライティングすることにより、異なる色の画像素子を含むディスプレイ画面に対してバックライティングする方法を提供する。上述したように、バックライティングは、レッド、グリーン、ブルーならびにシアニン及び／又はアンバーの色で行われることが可能になる。いくつかの実施形態では、これらのより異なる色は、画像素子に比べてより異なる色の複数の光源によって提供可能である。さらには、いくつかの実施形態では、より異なる色でのディスプレイ画面のバックライティングによって、ディスプレイ画面上で白色光として知覚されるバックライティングを行うことが可能になる。異なる色の画像素子を含むディスプレイ画面についての類似のバックライトシステムの実施形態は、ディスプレイ画面上にバックライティングを行うために、ディスプレイ画面上に入る光路に、画像素子に比べてより異なる色の光を放射するように構成された少なくとも１つの光源を設けることが可能である。この少なくとも１つの光源は、上述したように、白色光として知覚されるレッド、グリーン、ブルーならびにシアニン及び／又はアンバーの色を提供することが可能である。
【００１４】
本発明のさらに他の実施形態は、画像素子に比べて少なくとも１つの異なる色でディスプレイ画面をバックライティングすることにより、異なる色の画像素子を含むディスプレイ画面に対してバックライティングする方法を提供する。いくつかの実施形態では、ディスプレイ画面は、レッド、グリーン及びブルーの画像素子を含み、少なくとも１つの異なる色は、シアニン及び／又はアンバーの色を含む。異なる色の画像素子を含むディスプレイ画面についての類似のバックライトシステムの実施形態は、ディスプレイ画面上にバックライティングを行うために、ディスプレイ画面上に入る光路に、画像素子に比べて少なくとも１つの異なる色の光を放射するように構成された少なくとも１つの光源を設けることが可能である。
【発明を実施するための最良の形態】
【００１５】
次に、本発明の実施形態を示す添付の図面を参照して、以下に、より詳細に説明する。しかし、本発明を、本明細書に記載の実施形態に限定されると解釈するべきではない。むしろ、これらの実施形態は、この開示が綿密及び完全となるように、ならびに当業者に本発明の技術的範囲を充分に伝えるように提供される。図面では、層及び領域の厚みが明確にするために誇張されている。同様の数字が全体を通して同様の構成要素を示している。本明細書に使用されるとき、「及び／又は」という用語は、関連の記載項目のうち１つ又は複数の任意の及びすべての組合せを含み、「／」として省略可能である。
【００１６】
本明細書に使用される専門用語は、特定の実施形態を述べるという目的のためだけであり、本発明を限定していることを意図していない。本明細書に使用されるとき、単数形の「ａ」、「ａｎ」、及び「ｔｈｅ」は、文脈が他に明確に指示しない限りは、複数形も含むことを意図している。さらには、用語「ｃｏｍｐｒｉｓｅｓ」及び／又は「ｃｏｍｐｒｉｓｉｎｇ」は、本明細書で使用される場合には、記載されている特徴、領域、ステップ、動作、要素、及び／又は構成要素の存在を特定するが、他の特徴、領域、ステップ、動作、要素、構成要素、及び／又はそのグループのうち１つ又は複数の存在又は付加を除外しない。
【００１７】
層又は領域などの要素が、他の要素の「上に」ある、又は「上へと」延在すると称される場合には、それは他の要素の上に直接ある、もしくは他の要素上へと直接延在することが可能であり、又は介在要素もまた存在可能である。それに対して、要素が他の要素の「上に直接」ある、又は他の要素の「上へと直接」延在すると称される場合には、介在要素は存在しない。また、要素が他の要素に「接続される」、又は「結合される」と称される場合には、それは他の要素に直接、接続もしくは結合可能であり、又は介在要素が存在可能である。それに対して、要素が他の要素に「直接接続される」又は「直接結合される」と称される場合には、介在要素は存在しない。
【００１８】
第１、第２などの用語は、様々な要素、構成要素、領域、層及び／又は部分を説明するために本明細書では使用可能であるが、これらの要素、材料、領域、層及び／又は部分はこれらの用語によって限定されるべきではない。これらの用語は、１つの要素、材料、領域、層又は部分を他の要素、材料、領域、層又は部分と区別するためにのみ使用される。したがって、以下に論じる第１の要素、材料、領域、層又は部分は、本発明の教示から逸脱することなく、第２の要素、材料、領域、層又は部分と称されることが可能である。
【００１９】
さらには、「下方の」、「下部の」又は「水平の」、及び「上方の」、「上部の」又は「垂直の」などの相対語を本明細書では使用し、図に示すように、１つの要素と、他の要素との関係を説明することが可能である。相対語は、図に描かれた配向に加えて、デバイスの種々の配向を含むように意図されている。例えば、図のデバイスが反転した場合、他の要素の「下方の」側にあると説明された要素は、他の要素の「上方の」側に配向されることになる。例示的用語の「下方の」は、したがって、図の特定の配向に応じて、「下方の」及び「上方の」の双方の配向を含むことが可能である。同様に、図の１つの中でデバイスが反転した場合、他の要素の「下部に」又は「下に」と説明された要素は、他の要素の「上部に」配向されることになる。例示的用語の「下部に」又は「下に」は、したがって、上部及び下部への配向の双方を含むことが可能である。さらには、用語「正面の」及び「背面の」が本明細書では使用されて、フラットパネルディスプレイの対向する外側の面を説明する。通常、表示面は正面が考えられるが、配向に応じて、表示面は背面と考えられてもよい。
【００２０】
本発明の実施形態を、本発明の理想的な実施形態の概略図である断面図を参照して本明細書で説明する。したがって、例えば、製造の技術及び／又は許容範囲の結果としての図の形状との差異は、予期されるべきである。したがって、本発明の実施形態は、本明細書に図示した領域の特定の形状に限定されると解釈されるべきではなく、例えば、製造の結果生じた形状のバラツキを含むべきである。例えば、フラットとして図示又は説明される領域は、典型的には、粗い及び／又は非線形の特徴を有してよい。さらには、図示される鋭角は、典型的には、丸められていてもよい。したがって、図面に示される領域は、本質的に概略的であって、それらの形状は領域の正確な形状を示すように意図されておらず、本発明の範囲を限定することを意図していない。
【００２１】
他に規定されない限りは、本明細書に使用されるすべての用語（技術用語及び科学用語を含む）は、本発明が属する当業者が一般的に理解するのと同じ意味を有する。一般的に使用される辞書に規定されるものなど、用語は関連技術及び本開示の文脈におけるそれらの意味と整合性がとれる意味を有すると解釈されるべきであること、及び本明細書にそのように明確に規定されない場合には、理想的又は非常に形式的な意味において解釈されることにはならない。
【００２２】
図１は、本発明の一実施形態によるバックライトのシステム及び方法を含むフラットパネルディスプレイについてのディスプレイパネルの側断面図である。図１に示すように、これらのディスプレイパネル１００は、ディスプレイ画面１１０にａ、ｂ及びｃと分類された３つの配列など、複数の異なる色の画像素子それぞれの複数の配列を含むディスプレイ画面１１０を含んでいる。ディスプレイ画面１１０の設計は、当業者にはよく知られており、本明細書ではさらに説明する必要はない。
【００２３】
図１をさらに参照すると、ディスプレイ画面１１０のためのバックライトのシステム／方法１２０は、図１にｗ、ｘ、ｙ及びｚと分類された４つの配列など、複数の異なる色それぞれのＬＥＤデバイス１２２の複数の配列を含んでいる。複数の異なる色それぞれのＬＥＤデバイス１２２の複数の配列は、ディスプレイ画面１１０上にバックライティングを行うために、ディスプレイ画面１１０上に入る光路１３０に、複数の異なる色それぞれの光を放射するように構成されている。光路１３０は、明確にするために平行の矢印によって示されているが、通常、様々な色のＬＥＤからの光は、比較的均一なバックライティングを行うために、ＬＥＤとディスプレイ画面１１０との間の混合領域において混合する。ＬＥＤデバイスの配列は、ディスプレイの直接バックライティング（ｄｉｒｅｃｔ  ｂａｃｋｌｉｇｈｔｉｎｇ）を行うために（例えば、特許文献１参照）、及び／又はディスプレイ画面のエッジバックライティング（ｅｄｇｅ  ｂａｃｋｌｉｇｈｔｉｎｇ）を行うために（例えば、特許文献２参照）、及び／又は他の従来のバックライティングの構成で位置付け可能である。ＬＥＤデバイスの配列ｗ、ｘ、ｙ、ｚは、画像素子の配列ａ、ｂ及びｃに比べて、より小さいピッチ、より大きいピッチ、又は同じピッチを有することが可能である。
【００２４】
図１に示すように、異なる色の画像素子の配列１１０（ａ、ｂ、ｃ）に比べて、異なる色のＬＥＤデバイス１２２のより多くの配列が提供される。例えば、異なる色の画像素子の３つの配列（ａ、ｂ、ｃ）、及びＬＥＤバックライトデバイスの４つの配列（ｗ、ｘ、ｙ、ｚ）が提供可能である。ＬＥＤデバイス１２２の４つの配列（ｗ、ｘ、ｙ、ｚ）は、いくつかの実施形態において、白色光の知覚を形成するように、４つの色それぞれの光を放射するように構成されている。図１の実施形態により、異なる色の画像素子の数に比べてバックライティングＬＥＤデバイスの配列の数を増加させることにより、変更される色域及び／又はＣＲＩが作成可能になることがわかっている。例えば、色域は減少可能であるが、ＣＲＩは増加可能である。他の潜在的利点もまた得ることが可能である。
【００２５】
図１は、また、ディスプレイ画面１１０のためのバックライトのシステム／方法１２０が、ディスプレイ画面上にバックライティングを行うために、ディスプレイ画面１１０上に入る光路１３０に、画像素子に比べてより異なる色の光を放射するように構成された少なくとも１つの光源を含む、本発明の実施形態を示す図である。図１は、また、ディスプレイ画面１１０のためのバックライトのシステム／方法１２０が、ディスプレイ画面上にバックライティングを行うために、ディスプレイ画面１１０上に入る光路１３０に、画像素子に比べて少なくとも１つの異なる色の光を放射するように構成された少なくとも１つの光源を含む、本発明の実施形態を示す図である。いくつかの実施形態では、フィールドエミッタ／蛍光体配列など、ＬＥＤ以外のバックライティングの光源が使用可能である。さらには、いくつかの実施形態では、複合的光源が、異なる色の画像素子に比べてより異なる色のバックライティングの光を放射するために、異なる色の蛍光体を有する発光デバイスの単一の配列により具現化可能である。
【００２６】
図２は、本発明の他の実施形態によるディスプレイパネルの側断面図である。これらの実施形態では、ディスプレイパネル２００を構成するディスプレイ画面２１０は、ＬＣＤデバイス２１２の２次元配列、及びその上に少なくとも２つの色フィルタ２１４を含んでいる。図２には、レッド、グリーン及びブルーの色フィルタに対応する３つの色フィルタ２１４Ｒ、２１４Ｇ及び２１４Ｂを示している。当業者にはよく知られているように、ＬＣＤデバイス２１２の配列、及び３つの色フィルタ２１４は、３つの異なる色の画像素子の３つの配列を構成する。ＬＣＤデバイス２１２、及び色フィルタ２１４の設計は、当業者にはよく知られており、本明細書でさらに説明する必要はない。
【００２７】
さらに、図２を参照すると、バックライトのシステム及び／又は方法２２０は、レッド、グリーン、ブルー及びシアニン（ｃｙａｎｉｎｅ）のＬＥＤデバイス２２２Ｒ、２２２Ｇ、２２２Ｂ及び２２２Ｃの配列をそれぞれ含んでいる。いくつかの実施形態では、レッドのＬＥＤは中心周波数約６２５ｎｍを有し、グリーンのＬＥＤは中心周波数約５３５ｎｍを有し、ブルーのＬＥＤは中心周波数約４６０ｎｍを有し、シアニンのＬＥＤは中心周波数約４９５ｎｍから約５０５ｎｍを有する。色フィルタ２１４は、シアニンの色フィルタを含まない。したがって、異なる色の画像素子２１４に比べて異なる色のＬＥＤデバイス２２２の配列はより多くある。シアニンのバックライティングＬＥＤデバイス２２２Ｃの追加配列を行うために、図２の実施形態により、色域及び／又はＣＲＩはレッド、グリーン及びブルーのバックライティングＬＥＤデバイスに比較して変更可能であるが、ＬＣＤデバイス２１２及び色フィルタ２１４の標準的構成が維持されることが可能になる。
【００２８】
図３は、本発明のさらに他の実施形態の側断面図である。図３に示すように、これらのディスプレイパネル３００は、レッド、グリーン、ブルー、シアン及びイエロー（アンバーとも称される）のＬＥＤデバイス３２２Ｒ、３２２Ｇ、３２２Ｂ、３２２Ｃ、３２２Ｙの配列を含むバックライトのシステム／方法３２０を提供する。ＬＥＤバックライティングデバイス３２２の５つの異なる配列を行うことによって、色域及び／又はＣＲＩは、さらになお変更可能である。いくつかの実施形態では、イエローのＬＥＤ３２２Ｙは中心周波数約５７０ｎｍを有する。さらに他の実施形態では、異なる色のＬＥＤの４つの配列は、レッド、グリーン、ブルー及びイエローのＬＥＤの配列により形成可能である。
【００２９】
図１乃至図３は、また、ディスプレイ画面上で白色光として知覚されるバックライティングを行うために、ＬＣＤデバイスの２次元配列、その上に３つの異なる色のフィルタ、及びディスプレイ画面上に入る光路に３つの異なる色それぞれの光を放射するように構成されたＬＥＤデバイスの３つの配列を含むディスプレイ画面を動作させることが可能な本発明の方法実施形態を示す図である。これらの方法は、ディスプレイ画面上で白色光として知覚されるバックライティングを引き続き行うために、３つの異なる色とは異なる第４の色の光を放射するように構成されたＬＥＤデバイスの少なくとも第４の配列を加えることを含んでいる。第４の配列は、シアニン又はイエローのＬＥＤデバイスを含むことが可能である。４番目の配列はシアニン又はイエローのＬＥＤデバイスを含むことが可能である。さらには、図１乃至図３の任意の実施形態において、ＬＥＤ（フィールドエミッタなど）以外のバックライトの光源が使用可能であり、及び／又はＬＣＤ（ホログラム光学素子など）以外のシャッター可能なディスプレイも使用可能である。本発明の他の実施形態により、異なる色の画像素子を含むディスプレイ画面のためのバックライティングの方法は、画像素子に比べてより異なる色を有するディスプレイ画面をバックライティングすることを含んでいる。
【００３０】
図１乃至図３の実施形態の様々なコンビネーション、及びサブコンビネーションが本発明の他の実施形態により提供可能であることもまた当業者により理解されるであろう。
【００３１】
図面及び明細書には、本発明の実施形態が開示されており、特定の用語が用いられているが、それらは、総称的な、及び説明的な意味にのみ使用されており、限定することが目的ではなく、本発明の技術的範囲は添付の請求項に記載されている。
【図面の簡単な説明】
【００３２】
【図１】本発明の一実施形態によるディスプレイパネルの側断面図である。
【図２】本発明の他の実施形態によるディスプレイパネルの側断面図である。
【図３】本発明のさらに他の実施形態によるディスプレイパネルの側断面図である。
【図１】
2008535034.tif 000003
【図２】
2008535034.tif 000004
【図３】
2008535034.tif 000005
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
２次元配列された液晶ディスプレイデバイスと、該液晶ディスプレイデバイス上に配列されたレッド、ブルー及びグリーンの色フィルタと、該色フィルタ上に配列され、シアニンの色フィルタを含まないディスプレイ画面と、
該ディスプレイ画面上に入る光路に光を放射するように構成され、レッド、ブルー、グリーン及びシアニンの発光ダイオード（ＬＥＤ）デバイスの配列を含んだバックライトユニットと、
を備えたことを特徴とするディスプレイパネル。
【請求項２】
前記ディスプレイ画面は、その上にアンバーの色フィルタを含まず、前記バックライトユニットは、前記ディスプレイ画面上に入る前記光路に光を放射するように構成されたアンバーのＬＥＤデバイスの配列を含んでいることを特徴とする請求項１に記載のディスプレイパネル。
【請求項３】
前記レッド、ブルー、グリーン及びシアニンのＬＥＤデバイスの配列は、白色光の知覚を形成するように、前記ディスプレイ画面上に入る前記光路に光を放射するように構成されていることを特徴とする請求項１に記載のディスプレイパネル。
【請求項４】
前記レッド、ブルー、グリーン、シアニン及びアンバーのＬＥＤデバイスの配列は、白色光の知覚を形成するように、前記ディスプレイ画面上に入る前記光路に光を放射するように構成されていることを特徴とする請求項２に記載のディスプレイパネル。
【請求項５】
２次元配列された液晶ディスプレイデバイスと、該液晶ディスプレイデバイス上に配列されたレッド、ブルー及びグリーンの色フィルタとを有し、該色フィルタ上にシアニンの色フィルタを含まないディスプレイ画面のためのバックライティング方法であって、
前記ディスプレイ画面上に入る光路にレッド、ブルー、グリーン及びシアニンの発光ダイオード（ＬＥＤ）デバイスの配列から光を放射するステップを含むことを特徴とするバックライティング方法。
【請求項６】
前記ディスプレイ画面は、その上にアンバーの色フィルタを含まず、前記ディスプレイ画面上に入る前記光路に光を放射するように構成されたアンバーのＬＥＤデバイスの配列から光を放射するステップをさらに含むことを特徴とする請求項５に記載のバックライティング方法。
【請求項７】
前記レッド、ブルー、グリーン及びシアニンのＬＥＤデバイスの配列は、白色光の知覚を形成するように、前記ディスプレイ画面上に入る前記光路に光を放射するように構成されることを特徴とする請求項５に記載のバックライティング方法。
【請求項８】
前記レッド、ブルー、グリーン、シアニン及びアンバーのＬＥＤデバイスの配列は、白色光の知覚を形成するように、前記ディスプレイ上に入る前記光路に光を放射するように構成されることを特徴とする請求項６に記載のバックライティング方法。
【国際調査報告】
2008535034.tif 000006
2008535034.tif 000007
2008535034.tif 000008